(57)【要約】【課題】多心ケーブルにおける同軸電線の差動伝送ペア間のスキューを抑える。【解決手段】多心ケーブルの製造方法であって、その配置工程は、二つの同心円のうちの内側の円の円周上に２Ｎ本の電線を配置して当該多心ケーブルの内層とし、二つの同心円のうちの外側の円の円周上に４Ｎ本の電線を配置して当該多心ケーブルの外層とし、Ｎは２以上の整数であり、外層は、差動伝送に使用される２本の電線が一対となったものを複数対含み、当該一対の電線は同構造同寸法の電線であり、当該多心ケーブルの長さ方向に垂直な断面における、内層の２Ｎ本の電線に外接する２Ｎ角形の対向する頂点を結ぶ各直線を延長したＮ本の直線で区切られる２Ｎの区画において、一つの区画に２本ずつ外層の電線を収めるようにし、一対の電線は隣り合う区画にあるようにする。【選択図】図１
2019029262.tif 000002
【特許請求の範囲】
【請求項１】
二つの同心円の円周上にそれぞれ複数本の電線を配置する配置工程と、
前記二つの同心円の円周上に配置された全ての電線をまとめて一度に撚り合せる撚合工程と、
を含む多心ケーブルの製造方法であって、
前記配置工程は、
前記二つの同心円のうちの内側の円の円周上に２Ｎ本の電線を配置して当該多心ケーブルの内層とし、
前記二つの同心円のうちの外側の円の円周上に４Ｎ本の電線を配置して当該多心ケーブルの外層とし、
前記Ｎは２以上の整数であり、
前記外層は、差動伝送に使用される２本の電線が一対となったものを複数対含み、当該一対の電線は同構造同寸法の電線であり、
当該多心ケーブルの長さ方向に垂直な断面における、前記内層の２Ｎ本の電線に外接する２Ｎ角形の対向する頂点を結ぶ各直線を延長したＮ本の直線で区切られる２Ｎの区画において、一つの区画に２本ずつ前記外層の電線を収めるようにし、前記一対の電線は隣り合う区画にあるようにする、
多心ケーブルの製造方法。
【請求項２】
二つの同心円の円周上にそれぞれ複数本の電線を備える多心ケーブルであって、
前記二つの同心円のうちの内側の円の円周上に、当該多心ケーブルの内層として２Ｎ本の電線が配置され、
前記二つの同心円のうちの外側の円の円周上に、当該多心ケーブルの外層として４Ｎ本の電線が配置されており、
前記Ｎは２以上の整数であり、
前記外層は、差動伝送に使用される２本の電線が一対となったものを複数対含み、当該一対の電線は同構造同寸法の電線であり、
当該多心ケーブルの長さ方向に垂直な断面における、前記内層の２Ｎ本の電線に外接する２Ｎ角形の対向する頂点を結ぶ直線を延長したＮ本の直線で区切られる２Ｎの区画において、一つの区画に２本ずつ前記外層の電線が収まるように配置されており、前記一対の電線は隣り合う区画にあり、
前記内層の電線と前記外層の電線とが全てまとめて撚り合されている、
多心ケーブル。
【発明の詳細な説明】
【技術分野】
【０００１】
本発明は、多心ケーブルの製造方法および多心ケーブルに関する。
【背景技術】
【０００２】
特許文献１には、内側に複数本の絶縁電線を配置し、外側に複数本の同軸電線と絶縁電線を配置した多心ケーブルが開示されている。
【先行技術文献】
【特許文献】
【０００３】
【特許文献１】特開２０１４−１６４８４１号公報
【発明の概要】
【発明が解決しようとする課題】
【０００４】
電線が二層以上に配置されている多心ケーブルにおいて、それらの電線を一括で撚り合わせた製造すると、差動伝送ペア間のスキューが発生するおそれがある。
【０００５】
本発明は、多心ケーブルにおける電線の差動伝送ペア間のスキューを抑えることができる多心ケーブルの製造方法および多心ケーブルを提供する。
【課題を解決するための手段】
【０００６】
本発明の一態様に係る多心ケーブルの製造方法は、二つの同心円の円周上にそれぞれ複数本の電線を配置する配置工程と、
前記二つの同心円の円周上に配置された全ての電線をまとめて一度に撚り合せる撚合工程と、
を含む多心ケーブルの製造方法であって、
前記配置工程は、
前記二つの同心円のうちの内側の円の円周上に２Ｎ本の電線を配置して当該多心ケーブルの内層とし、
前記二つの同心円のうちの外側の円の円周上に４Ｎ本の電線を配置して当該多心ケーブルの外層とし、
前記Ｎは２以上の整数であり、
前記外層は、差動伝送に使用される２本の電線が一対となったものを複数対含み、当該一対の電線は同構造同寸法の電線であり、
当該多心ケーブルの長さ方向に垂直な断面における、前記内層の２Ｎ本の電線に外接する２Ｎ角形の対向する頂点を結ぶ各直線を延長したＮ本の直線で区切られる２Ｎの区画において、一つの区画に２本ずつ前記外層の電線を収めるようにし、前記一対の電線は隣り合う区画にあるようにする。
【０００７】
また、本発明の一態様に係る多心ケーブルは、二つの同心円の円周上にそれぞれ複数本の電線を備える多心ケーブルであって、
前記二つの同心円のうちの内側の円の円周上に、当該多心ケーブルの内層として２Ｎ本の電線が配置され、
前記二つの同心円のうちの外側の円の円周上に、当該多心ケーブルの外層として４Ｎ本の電線が配置されており、
前記Ｎは２以上の整数であり、
前記外層は、差動伝送に使用される２本の電線が一対となったものを複数対含み、当該一対の電線は同構造同寸法の電線であり、
当該多心ケーブルの長さ方向に垂直な断面における、前記内層の２Ｎ本の電線に外接する２Ｎ角形の対向する頂点を結ぶ直線を延長したＮ本の直線で区切られる２Ｎの区画において、一つの区画に２本ずつ前記外層の電線が収まるように配置されており、前記一対の電線は隣り合う区画にあり、
前記内層の電線と前記外層の電線とが全てまとめて撚り合されている。
【発明の効果】
【０００８】
上記発明の多心ケーブルの製造方法および多心ケーブルによれば、多心ケーブルにおける電線の差動伝送ペア間のスキューを抑えることができる。
【図面の簡単な説明】
【０００９】
【図１】本実施形態に係る多心ケーブルを示す断面図である。
【図２】本実施形態に係る多心ケーブルの電線配置構成を示す模式図である。
【図３】比較例の電線配置構成を示す模式図である。
【発明を実施するための形態】
【００１０】
（本発明の実施形態の説明）
最初に本発明の実施態様を列記して説明する。
本発明の一態様に係る多心ケーブルの製造方法は、
（１）二つの同心円の円周上にそれぞれ複数本の電線を配置する配置工程と、
前記二つの同心円の円周上に配置された全ての電線をまとめて一度に撚り合せる撚合工程と、
を含む多心ケーブルの製造方法であって、
前記配置工程は、
前記二つの同心円のうちの内側の円の円周上に２Ｎ本の電線を配置して当該多心ケーブルの内層とし、
前記二つの同心円のうちの外側の円の円周上に４Ｎ本の電線を配置して当該多心ケーブルの外層とし、
前記Ｎは２以上の整数であり、
前記外層は、差動伝送に使用される２本の電線が一対となったものを複数対含み、当該一対の電線は同構造同寸法の電線であり、
当該多心ケーブルの長さ方向に垂直な断面における、前記内層の２Ｎ本の電線に外接する２Ｎ角形の対向する頂点を結ぶ各直線を延長したＮ本の直線で区切られる２Ｎの区画において、一つの区画に２本ずつ前記外層の電線を収めるようにし、前記一対の電線は隣り合う区画にあるようにする。
上記製造方法によれば、多心ケーブルにおける電線の差動伝送ペア間のスキューを抑えることができる。
【００１１】
また、本発明の一態様に係る多心ケーブルは、
（２）二つの同心円の円周上にそれぞれ複数本の電線を備える多心ケーブルであって、
前記二つの同心円のうちの内側の円の円周上に、当該多心ケーブルの内層として２Ｎ本の電線が配置され、
前記二つの同心円のうちの外側の円の円周上に、当該多心ケーブルの外層として４Ｎ本の電線が配置されており、
前記Ｎは２以上の整数であり、
前記外層は、差動伝送に使用される２本の電線が一対となったものを複数対含み、当該一対の電線は同構造同寸法の電線であり、
当該多心ケーブルの長さ方向に垂直な断面における、前記内層の２Ｎ本の電線に外接する２Ｎ角形の対向する頂点を結ぶ直線を延長したＮ本の直線で区切られる２Ｎの区画において、一つの区画に２本ずつ前記外層の電線が収まるように配置されており、前記一対の電線は隣り合う区画にあり、
前記内層の電線と前記外層の電線とが全てまとめて撚り合されている。
上記構成によれば、多心ケーブルにおける電線の差動伝送ペア間のスキューを抑えることができる。
【００１２】
（本発明の実施形態の詳細）
本発明の実施形態に係る多心ケーブルの製造方法および多心ケーブルの具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００１３】
図１は、本実施形態に係る多心ケーブルの一例を示す図であり、多心ケーブルの長さ方向に垂直な断面図を示す。図１に示すように、多心ケーブル１は、二つの同心円の円周上にそれぞれ複数本の電線を備えている。外側の円の円周上には、４Ｎ本（本例では１２本）の電線（同軸電線１０，絶縁電線２０）が配置されている。内側の円の円周上には、２Ｎ本（本例では６本）の電線（絶縁電線３０）が配置されている。なお、上記Ｎは２以上の整数であり、本例は上記Ｎを３とした場合である。
【００１４】
また、多心ケーブル１は、内側の円の円周上に配置された２Ｎ本（本例では６本）の絶縁電線３０の内側に介在４０を備えている。また、多心ケーブル１は、これらの電線（同軸電線１０，絶縁電線２０，絶縁電線３０）の周囲を一括して覆う押え巻５０と、押え巻５０の周囲を覆うシールド層６０と、シールド層６０の周囲を覆う外被７０とを備えている。
【００１５】
同軸電線１０，絶縁電線２０は、外側の円の円周上に、多心ケーブル１の外層の電線として配置されている。また、絶縁電線３０は、内側の円の円周上に、多心ケーブル１の内層の電線として配置されている。
【００１６】
多心ケーブル１の外層は、差動伝送に使用される２本の電線が一対となったもの（差動伝送ペア）を複数対含んでおり、本例では１０本の同軸電線１０が配置されている。１０本の同軸電線１０（１０ａ〜１０ｊ）は、例えば高速信号の伝送等のため、差動伝送ペアとなる同軸電線対で構成されている。本例では、同軸電線対１００Ａ、同軸電線対１００Ｂ、同軸電線対１００Ｃ、同軸電線対１００Ｄおよび同軸電線対１００Ｅの五対で構成されている。
【００１７】
各同軸電線対を構成する２本の同軸電線１０（例えば同軸電線対１００Ａの同軸電線１０ａと１０ｂ）は、同構造同寸法の電線であり、外側の円の円周上に、隣り合って配置されている。なお、隣り合って配置された同軸電線同士（例えば上記同軸電線１０ａと１０ｂ）は、撚られていないことが好ましい。ここで、「同構造同寸法」とは、厳密な意味での同じ構造および同じ寸法を意味するものではなく、同構造同寸法とみなされる範囲であれば本発明の効果を奏する範囲で幅を持つ意味である。
【００１８】
各同軸電線１０は、中心導体１１が絶縁体１２で覆われ、絶縁体１２の外周に外部導体１３が配置され、外部導体１３の周囲が外被１４で覆われた同軸構造を有している。
中心導体１１は、例えば軟銅線や銅合金線（それぞれ錫メッキや銀メッキがされていてもよい）の単線、または複数本撚った撚線が用いられる。本例では銀メッキ軟銅線が７本撚り合わされた撚線が用いられており、その断面積は、０．０５ｍｍ２程度である。
【００１９】
絶縁体１２は、例えばＦＥＰ（テトラフルオロエチレン・ヘキサフルオロプロピレン共重合体）等のフッ素系樹脂で形成されている。外部導体１３は、例えば複数の金属素線を絶縁体１２の周囲に横巻き（本例では螺旋巻き）することによって形成されている。金属素線には、例えば軟銅線や合金線（それぞれ錫メッキや銀メッキがされていてもよい）が用いられる。金属素線の外径は、例えば０．０３ｍｍである。
【００２０】
外被１４は、例えばＥＴＦＥ（エチレン−テトラフルオロエチレン共重合体）等のフッ素系樹脂を外部導体１３の周囲に押出被覆することによって形成されている。外被１４は、ＰＥＴ（ポリエチレンテレフタレート）等の樹脂テープを巻き付けることで形成されてもよい。外被１４の外径、すなわち同軸電線１０の外径は、例えば０．３ｍｍ〜１．２ｍｍである。本例における同軸電線１０の外径は、０．４ｍｍである。
【００２１】
外層を構成する４Ｎ本の電線のうち、上記同軸電線１０以外に絶縁電線２０（本例では２本）を含んでいてもよい。なお、外層を構成する電線に絶縁電線２０を含めずに、全て同軸電線１０としてもよい。
【００２２】
絶縁電線２０（２０Ａ，２０Ｂ）は、例えば電力を供給するための電線または低速信号を伝送するための電線として用いることができる。絶縁電線２０は、導体２１を外被２２で覆った電線である。
【００２３】
導体２１は、例えば複数（本例では７本）の錫メッキ軟銅線からなる撚線で形成されている。導体２１の断面積は、例えば０．１０ｍｍ２程度である。外被２２は、例えばＥＴＦＥ（テトラフルオロエチレン・エチレン共重合体）等のフッ素系樹脂で形成されている。絶縁電線２０の外径は、同軸電線１０の外径と略同じ大きさの外径（本例では０．４ｍｍ）に形成されている。
【００２４】
内層を構成する絶縁電線３０（３０Ａ〜３０Ｆ）は、導体３１を外被３２で覆った電線であり、上記絶縁電線２０と同様の機能を有している。そして、絶縁電線３０の外径も同軸電線１０の外径と略同じ大きさの外径（本例では０．４ｍｍ）に形成されている。
【００２５】
介在４０は、例えばフッ素樹脂系の電気絶縁材で形成されている。介在４０は、断面円形状の線状部材であり、絶縁電線３０と同程度の外径を有する。介在４０は、絶縁電線３０Ａ〜３０Ｆの配置関係を一定にするために設けられた部材であり、内層を構成する絶縁電線３０Ａ〜３０Ｆの内側、すなわち多心ケーブル１の中心部に、各絶縁電線３０と接触した状態で配置されている。
【００２６】
このような構成の同軸電線１０ａ〜１０ｊおよび絶縁電線２０Ａ，２０Ｂ，３０Ａ〜３０Ｆは、介在４０と共に一括して螺旋状に撚り合わされている。
【００２７】
押え巻５０は、例えばアルミニウムまたは銅などの金属層をＰＥＴ等の樹脂テープに接着または蒸着した金属層付樹脂テープで形成されている。押え巻５０は、外層を構成する同軸電線１０ａ〜１０ｊおよび絶縁電線２０Ａ，２０Ｂの周囲に螺旋巻きされている。樹脂テープの厚さは２〜１０μｍ程度、金属層の厚さは０．１〜３μｍ程度である。
【００２８】
シールド層６０は、例えば外径が数十μｍの錫メッキされた銅線または銅合金線を横巻きしてまたは編組して構成されている。シールド層６０は、押え巻５０の周囲に螺旋巻きされている。
【００２９】
外被７０は、例えばポリ塩化ビニルやポリオレフィン係樹脂等を押出被覆することによって形成されている。外被７０は、ＰＥＴ等の樹脂テープを横巻きすることにより形成されてもよい。外被７０の外径、すなわち多心ケーブル１の外径は、例えば２．０ｍｍ〜６．０ｍｍ、好ましくは、４．０ｍｍ〜５．０ｍｍ、本例では４．３ｍｍである。
【００３０】
多心ケーブル１に収容されている内層の絶縁電線３０と、外層の同軸電線１０および絶縁電線２０と、の相互位置について、図２を参照しつつさらに説明する。
図２は、図１に示される同軸電線１０および絶縁電線２０，３０の配置構成を示す模式図である。図２に示すように、内層を構成する６本の絶縁電線３０Ａ〜３０Ｆは、介在４０の周囲に六角形状（破線Ａ）を形成すように配置されている。なお、破線Ａは、配置されている６本の絶縁電線３０Ａ〜３０Ｆに外接する線を示している。
【００３１】
例えば６本の絶縁電線３０Ａ〜３０Ｆで形成されるこの六角形の対向する頂点を結ぶ３本の直線を直線Ｂ〜Ｄとする。直線Ｂ〜Ｄを引くことにより、上記六角形およびその周辺領域は、六つの区画（Ｅ）〜（Ｊ）に区切られる。
【００３２】
外層を構成する１０本の同軸電線１０ａ〜１０ｊおよび２本の絶縁電線２０Ａ，２０Ｂは、上記六角形状を形成するように配置された絶縁電線３０Ａ〜３０Ｆの周囲に、上記六角形のいずれかの辺と接するように配置されている。また、同軸電線１０ａ〜１０ｊおよび絶縁電線２０Ａ，２０Ｂは、上記区画（Ｅ）〜（Ｊ）の各々の区画内に２本ずつの電線が収まるように配置されている。また、各同軸電線対１００Ａ〜１００Ｅを構成する２本の同軸電線１０は、隣り合う区画に１本ずつ存在するように配置されている。さらに、隣り合う区画に配置された一対の同軸電線１０の中間には、内層の絶縁電線３０が配置されている。
【００３３】
例えば区画（Ｅ）内には同軸電線１０ａと同軸電線１０ｊとが配置され、区画（Ｆ）内には同軸電線１０ｂと同軸電線１０ｃとが配置されている。また、区画（Ｇ）内には同軸電線１０ｄと同軸電線１０ｅとが配置され、区画（Ｈ）内には同軸電線１０ｆと絶縁電線２０Ａとが配置されている。さらに、区画（Ｉ）内には絶縁電線２０Ｂと同軸電線１０ｇとが配置され、区画（Ｊ）内には同軸電線１０ｈと同軸電線１０ｉとが配置されている。
【００３４】
また、例えば同軸電線対１００Ａを構成する同軸電線１０ａと同軸電線１０ｂとは、隣り合う区画（Ｅ）と区画（Ｆ）（同軸電線１０ａが区画（Ｅ）で同軸電線１０ｂが区画（Ｆ））に配置されている。同様に、同軸電線対１００Ｂを構成する同軸電線１０ｃと同軸電線１０ｄとは、同軸電線１０ｃが区画（Ｆ）に配置され、同軸電線１０ｄが区画（Ｇ）に配置されている。また、同軸電線対１００Ｃを構成する同軸電線１０ｅと同軸電線１０ｆとは、同軸電線１０ｅが区画（Ｇ）に配置され、同軸電線１０ｆが区画（Ｈ）に配置されている。また、同軸電線対１００Ｄを構成する同軸電線１０ｇと同軸電線１０ｈとは、同軸電線１０ｇが区画（Ｉ）に配置され、同軸電線１０ｈが区画（Ｊ）に配置されている。また、同軸電線対１００Ｅを構成する同軸電線１０ｉと同軸電線１０ｊとは、同軸電線１０ｉが区画（Ｊ）に配置され、同軸電線１０ｊが区画（Ｅ）に配置されている。
【００３５】
また、例えば同軸電線対１００Ａを構成する同軸電線１０ａと同軸電線１０ｂとの中間に絶縁電線３０Ａが位置するように同軸電線１０ａと同軸電線１０ｂとが配置されている。また、同軸電線対１００Ｂを構成する同軸電線１０ｃと同軸電線１０ｄとの中間に絶縁電線３０Ｂが位置するように同軸電線１０ｃと同軸電線１０ｄとが配置されている。また、同軸電線対１００Ｃを構成する同軸電線１０ｅと同軸電線１０ｆとの中間に絶縁電線３０Ｃが位置するように同軸電線１０ｅと同軸電線１０ｆとが配置されている。また、同軸電線対１００Ｄを構成する同軸電線１０ｇと同軸電線１０ｈとの中間に絶縁電線３０Ｅが位置するように同軸電線１０ｇと同軸電線１０ｈとが配置されている。また、同軸電線対１００Ｅを構成する同軸電線１０ｉと同軸電線１０ｊとの中間に絶縁電線３０Ｆが位置するように同軸電線１０ｉと同軸電線１０ｊとが配置されている。
【００３６】
以上のように、本実施形態の多心ケーブル１では、図２に示す六角形（２Ｎ角形）における、直線Ｂ〜Ｄで区切られる区画（Ｅ）〜（Ｊ）の各々に、２本ずつ外層の電線（同軸電線１０，絶縁電線２０）が配置されている。そして、差動伝送ペアの電線（１００Ａ〜１００Ｅを構成する一対の同軸電線）の１本ずつが隣り合う区画に配置されている。
【００３７】
次に、多心ケーブル１の製造方法について説明する。
１０本の同軸電線１０ａ〜１０ｊと、２本の絶縁電線２０Ａ，２０Ｂと、６本の絶縁電線３０Ａ〜３０Ｆとを用意する。同軸電線１０ａ〜１０ｊは、同軸電線１０ａ，１０ｂで同軸電線対１００Ａ、同軸電線１０ｃ，１０ｄで同軸電線対１００Ｂ、同軸電線１０ｅ，１０ｆで同軸電線対１００Ｃ、同軸電線１０ｇ，１０ｈで同軸電線対１００Ｄ、同軸電線１０ｉ，１０ｊで同軸電線対１００Ｅとして構成される。
【００３８】
先ず、ケーブルの中心部に介在４０を配置し、その介在４０の周囲を覆うように６本の絶縁電線３０Ａ〜３０Ｆを２つの同心円のうちの内側の円の円周上に配置して、多心ケーブル１内に設けられる二層の電線層のうちの内層を形成する。続いて、この内層を構成する絶縁電線３０Ａ〜３０Ｆの周囲を覆うように１０本の同軸電線１０ａ〜１０ｊと２本の絶縁電線２０Ａ，２０Ｂとを２つの同心円のうちの外側の円の円周上に配置して、多心ケーブル１内に設けられる二層の電線層のうちの外層を形成する。
【００３９】
このとき、多心ケーブル１の長さ方向に垂直な断面において、上記内層を構成する６本の絶縁電線３０Ａ〜３０Ｆに外接する六角形の対向する頂点を結ぶ３本の直線Ｂ〜Ｄをそれぞれ延長させ、その直線Ｂ〜Ｄで区切られる六つの区画を区画（Ｅ）〜（Ｊ）とする。そして、区切られたそれぞれの区画内に、上記外層を構成する同軸電線１０ａ〜１０ｊおよび絶縁電線２０Ａ，２０Ｂのうちの２本ずつの電線が収められるようにするとともに、各同軸電線対１００Ａ〜１００Ｅを構成する２本の同軸電線が隣り合う区画に１本ずつ配置されるようにする。この場合、隣り合う区画に配置された一対の同軸電線の中間に、内層の絶縁電線３０が配置されるようになる。
【００４０】
続いて、このように配置された同軸電線１０ａ〜１０ｊおよび絶縁電線２０Ａ，２０Ｂ，３０Ａ〜３０Ｆをまとめて一度に撚り合せる。
続いて、撚り合わされた電線の周囲に押え巻５０を巻き付け、さらにその外周をシールド層６０で覆う。最後に、シールド層６０の外周に外被７０を押出し被覆して、多心ケーブル１の製造が完了する。
【００４１】
図３は、多心ケーブルに収容される内層の絶縁電線３０Ａ〜３０Ｆと、外層の同軸電線１０ａ〜１０ｊおよび絶縁電線２０Ａ，２０Ｂと、の相互位置を示す電線配置構成の比較例を示す。図３に示す比較例では、外層に配置された同軸電線１０ａ〜１０ｊのうち、同軸電線対１００Ａを構成する同軸電線１０ａが多心ケーブルの径方向へ絶縁電線３０Ａと一直線上に並んで直線Ｂ上に配置されている。同様に、同軸電線対１００Ｂを構成する同軸電線１０ｃと同軸電線対１００Ｄを構成する同軸電線１０ｇが絶縁電線３０Ｂおよび３０Ｅと一直線上に並んで直線Ｃ上に配置されている。また、同軸電線対１００Ｃを構成する同軸電線１０ｅと同軸電線対１００Ｅを構成する同軸電線１０ｉが絶縁電線３０Ｃおよび３０Ｆと一直線上に並んで直線Ｄ上に配置されている。
【００４２】
しかしながら、このような配置の場合、集合された同軸電線１０ａ〜１０ｊおよび絶縁電線２０Ａ，２０Ｂ，３０Ａ〜３０Ｆをまとめて撚り合せると、同一の円周上に配置されていた外層における一部の同軸電線が、図３に破線で示すように、多心ケーブルの中心方向へずれて落ち込んでしまう。例えば同軸電線対１００Ａを構成する一方の同軸電線１０ｂが、中心方向へずれて、同軸電線対１００Ａを構成するもう一方の同軸電線１０ａよりも内側に落ち込んだ配置となってしまう。このため、差動伝送ペアとなる同軸電線対を構成する２本の同軸電線間に４〜５ｍｍ／ｍ程度の線長差が生じ、この線長差により高いスキュー（２５ｐｓ／ｍ）が発生してしまう。
【００４３】
これに対して、本実施形態の多心ケーブル１およびその製造方法によれば、図２に示すように、六つに区切られる区画（Ｅ）〜（Ｊ）の各々に、外層を構成する同軸電線１０ａ〜１０ｊおよび絶縁電線２０Ａ，２０Ｂのうちの２本ずつの電線が収まるように配置されている。また、各同軸電線対１００Ａ〜１００Ｅを構成する２本の同軸電線が隣り合う区画に１本ずつ収まるように配置されている。この配置は、図３に示す比較例と比較すると、同軸電線１０ａ〜１０ｊを多心ケーブルの周方向（左回り方向）へ同軸電線の外径の半個分だけずらした配置となっている。
【００４４】
このため、本実施形態では、隣り合う区画に配置された一対の同軸電線１０の中間に内層の絶縁電線３０がくるように配置されるので、一対の同軸電線は、同一の絶縁電線３０によって内側から支えられるとともに、隣接する同軸電線１０によって左右両側から支えられることになる。例えば同軸電線対１００Ａの同軸電線１０ａは、絶縁電線３０Ａと同軸電線１０ｊおよび１０ｂとによって支えられ、同軸電線１０ｂは、絶縁電線３０Ａと同軸電線１０ａおよび１０ｃとによって支えられる。
【００４５】
したがって、同軸電線１０ａ〜１０ｊおよび絶縁電線２０Ａ，２０Ｂ，３０Ａ〜３０Ｆがまとめて撚り合わされたとき、上記内側および左右両側からの支えにより、同軸電線が多心ケーブル１の中心方向へ落ち込んでしまうことを防止することができる。よって、多心ケーブル１に収容される同軸電線対の２本の同軸電線１０に線長差が発生することを防ぐことができ、差動伝送ペアとなる２本の同軸電線間におけるスキューを抑えることができる。
【００４６】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【符号の説明】
【００４７】
１：多心ケーブル
１０（１０ａ〜１０ｊ）：同軸電線
１１：中心導体
１２：絶縁体
１３：外部導体
１４：外被
２０（２０Ａ，２０Ｂ）：絶縁電線
２１：導体
２２：外被
３０（３０Ａ〜３０Ｆ）：絶縁電線
４０：介在
５０：押え巻
６０：シールド層
７０：外被
１００Ａ〜１００Ｅ：同軸電線対
【図１】
2019029262.tif 000003
【図２】
2019029262.tif 000004
【図３】
2019029262.tif 000005